(57)【要約】【課題】安全かつ効率のよいハチの巣の駆除方法を提供する。【解決手段】ハチの巣の中に挿入される部分に複数の穴が設置されている噴射ノズルであって、前記複数の穴は噴射方向前方および垂直方向に向けられており、ハチの巣の中に挿入可能な太さ、材質であるノズルから薬液を注入することによりハチの巣の中のハチを駆除することができる。【特許請求の範囲】
【請求項１】
ハチの巣の中に挿入される部分に複数の穴が設置されている噴射ノズルであって、前記複数の穴は噴射方向前方および垂直方向に向けられており、前記複数の穴からは薬液が注入されることができ、ハチの巣の中に挿入可能な太さ、材質であるノズルを有するハチの巣の中のハチの駆除用具。
【請求項２】
ノズルの長さが１ｃｍ〜１ｍである請求項１に記載のハチの巣の中のハチの駆除用具。
【請求項３】
エアゾールである請求項１に記載のハチの巣の中のハチの駆除用具。
【請求項４】
穴の数が２個以上である請求項１に記載のハチの巣の中のハチの駆除用具。
【請求項５】
穴の大きさが、０．１ｍｍ〜１ｍｍである請求項１〜４に記載のハチの巣の中のハチの駆除用具。
【請求項６】
薬液が殺虫剤を含むことを特徴とする請求項１に記載のハチの巣の中のハチの駆除用具。
【請求項７】
ピレスロイド系殺虫剤を使用することを特徴とする請求項５に記載のハチの巣の中のハチの駆除用具。
【請求項８】
ピレスロイド系殺虫剤がプラレトリン、フタルスリン、イミプロトリン、フェノトリン、レスメトリン、ペルメトリン、シフェノトリン、トラロメトリン、エトフェンプロックス、トランスフルトリン、メトフルトリン、除虫菊エキスから選ばれる１種以上を含むことを特徴とする請求項６に記載のハチの巣の中のハチの駆除用具。
【請求項９】
ハチの巣の中に挿入される部分に複数の穴が設置されている噴射ノズルであって、前記複数の穴は噴射方向前方および垂直方向に向けられており、ハチの巣の中に挿入可能な太さ、材質であるノズルから薬液を注入することによりハチの巣の中のハチを駆除する方法。
【発明の詳細な説明】
【０００１】
【発明の属する技術分野】
本発明は、人間に危害を加える害虫、とりわけハチの駆除に関するものである。
【０００２】
【従来の技術】
近年宅地化などで山林の開発が進み、人の居住空間がハチの生活区域に近づいてきたこと等もあり、スズメバチなどにより刺咬される被害が多くなってきた。スズメバチなどからの攻撃から身を守る方法の大きなものとして人家に造られたハチの巣ごと駆除、撤去する方法が採られている。前記駆除、撤去方法としては、巣の殺虫剤を散布して巣の中のハチを死亡または苦悶に至らせた後巣を撤去するか、巣を一機に袋状のもので覆ってしまう、などである。しかしながら、巣の外側からの殺虫剤散布では、巣の中のハチ全てに殺虫剤を接触されることは不可能なことであり、殺虫剤に十分接触しないハチの逆襲を受けたりする懸念がある。また、物理的撤去方法では、ハチと極めて近接した状態で作業するという危険性を有している。
【０００３】
【発明が解決しようとする課題】
本発明は上記にような作業上の危険性を軽減できる方法を提供することにある。
【０００４】
【課題を解決するための手段】
本発明は、ハチの巣の中に挿入される部分に複数の穴が設置されている噴射ノズルであって、前記複数の穴は噴射方向前方および垂直方向に向けられており、ハチの巣の中に挿入可能な太さ、材質であるノズルから薬液を注入することによりハチの巣の中のハチを駆除する方法を提供するものである。
【０００５】
【発明の実施の形態】
本発明の特徴は、殺虫剤を含む薬液を作業者に安全で、かつ効率よくハチの巣の中に注入することにある。効率よく巣の中に薬液を注入するには、巣の中に挿入される薬液挿入装置、すなわちノズルが必要であり、前記ノズルは巣の中への挿入のし易さと強度とから、ステンレス製もしくは樹脂製が好ましく、外径は０．５ｍｍから１０ｍｍ、好ましくは１ｍｍ〜５ｍｍである。長さは、長ければ長いほど作業者の位置がハチの巣より離れるので安全であるが、離れた位置からはノズルを狙った位置に挿入することがむつかしくなるので、一般的には１ｃｍ〜２ｍ、好ましくは２ｃｍ〜１ｍである。
【０００６】
前記ノズルの先端部には複数の穴が開けられており、殺虫剤を含む薬液は、前記穴からハチの巣の中全体に及ぶように散布される。前記穴の大きさは径が０．０５ｍｍ〜３ｍｍ、好ましくは、０．１ｍｍ〜１ｍｍで、ハチの巣の中全体に薬液が行き渡るようにするのは、穴の数が多ければ多いほどよいが、薬液の噴射の圧力などを考慮すると２〜６箇所程度が好ましい。
【０００７】
前記ノズルは薬液送出し装置に付けられており、この薬液送出し装置から薬液が送出される。前記薬液送出し装置は、電動噴霧器、動力噴霧器、またはエアゾールなどである。ハチの巣の駆除作業には作業の機動性が要求されるので、持ち運びの容易なエアゾールが前記薬液送出し装置として好ましい、
【０００８】
ハチの巣の中へ薬液を注入する際、方角は巣の中の全方向で、しかも短時間での注入が必要とされるので、ノズルの先からの噴霧方向は、ノズルの穴の数にもよるが、ハチの巣の中に挿入されたノズルの前方およびノズルの垂直方向であることが最も効率的である。
【０００９】
ハチの巣の中のハチを完全に駆除するためには、ハチの巣の大きさ、ハチにより造られた巣の材質にもよるが、大きい巣の場合は、ノズルの巣の中への挿入回数を増やし、その度に薬液を注入することが好ましい。一般的には挿入回数は１〜１０回である。ノズルのハチの巣の中への挿入回数１回につき薬液の注入量はエアゾール原液あたり０．５ｇ〜２０ｇ／秒程度であり、１〜１０秒、好ましくは２〜５秒注入される。
【００１０】
前記ノズルのハチの巣への挿入位置は、挿入が容易と思われるところに素早く挿入することが必要であり、またできるだけ中心部までノズルの先を到達させることが好ましい。ハチの巣と外部との出入口に直接挿入することも有効な手段である。
【００１１】
本発明の、薬液を直接ハチの巣の中へ注入してハチの巣の中のハチを駆除する方法は、ハチの巣に対し何の前処理をせず直接ノズルを挿入し薬液を注入することもでき、また、前処理として巣に直接殺虫剤を散布しておいたり、巣に粘着性の泡状物質を吹き付け、巣全体を粘着性物質で覆ったりして、ハチを巣の中に封じ込めてから本発明の巣の中への薬液注入を行うとより効果が高くまた安全である。
【００１２】
本発明のハチの巣の中のハチを駆除する薬剤を前記巣の中に注入した際、万が一、一部のハチが巣から飛び出してきた時は、別途の直射式のハチ用の殺虫エアゾールを噴霧してハチをノックダウンさせることが必要である。ハチがもはや巣の中から飛び出してこなくなった後は、従来のハチの巣の除去作業、すなわち巣を袋状の入れ物に入れ廃棄する、といった方法と同様な方法で巣を撤去することができるが、本発明の技術は、前記撤去時、巣の中で生き延びていたハチの攻撃を受ける危険性は従来の方法よりも格段に低く安全な作業を齎すものである。
【００１３】
本発明のハチの巣の中のハチの駆除のためには、注入される薬液の中に殺虫剤が加えられる。使用される殺虫剤としては、まずハチがノックダウンする速効性が求められ、また、作業者近くで大量の薬剤が放出されるので薬剤の安全性も重要であるので、これら両面から考えてピレスロイド系の薬剤が好ましい。例として、プラレトリン、フタルスリン、イミプロトリン、フェノトリン、レスメトリン、ペルメトリン、シフェノトリン、トラロメトリン、エトフェンプロックス、トランスフルトリン、メトフルトリン、除虫菊エキスが挙げられ、ピレスロイド系薬剤から選ばれる１種以上が使用される。
【００１４】
前記ピレスロイド系薬剤の加え、有機リン系殺虫剤、カーバメート系殺虫剤、ネオニコチノイド系殺虫剤、フェニルピラゾール系殺虫剤、フェニルピロール系殺虫剤などから選ばれる１種以上の薬剤を併用して使用することができる。
【００１５】
また、前記殺虫剤に加え、ＰＢＯ，ＭＧＫ−２６４，サイネピリンなどの共力剤を使用することもできる。
【００１６】
前記薬液送出し装置の好ましい形態としてエアゾールを使用する場合、薬液を構成する溶剤は、脂肪族炭化水素類、芳香族炭化水素類、アルコール類、エステル類、エ−テル類、ケトン類、植物精油および水等が例示される。有効成分が溶剤に溶け難い場合には乳化のため乳化剤を添加することができる。また前記エアゾールに用いられる噴射剤としては、プロパン、ブタン、イソブタン、ジメチルエーテル、窒素、炭酸ガス等を挙げることができ、これらは二種以上の混合物であってもよい。噴射剤含有量は通常１０〜９０重量％、好ましくは１５〜７０重量％である。
【００１７】
【実施例】
以下に製剤例、試験例にて本発明をより詳細に説明するが、本発明がこれらの製剤例、試験例に限定されるものではない。
【００１８】
【製剤例１】
プラレトリン０．０６ｇとスミスリン０．２ｇをケロシン９９．７４ｇに溶かし、エアゾール原液とした。この原液２２９．３ｇと噴射ガスとしてＬＰＧ５７．３ｇとを３００ｍＬエアゾール缶に注入し、殺虫エアゾール（１）を調整した。この殺虫エアゾールに付帯させたノズルは、長さ１０ｃｍ、太さ１．５ｍｍで、噴射方向とノズル先端とこの先端から３ｍｍのところにそれぞれが垂直方向になるような穴が４箇所開けられており、計５箇所の穴のそれぞれの径が０．６ｍｍであるものを使用した。噴霧形態は直射型で噴霧量は１秒あたり３．１ｇであった。
【００１９】
【実施例】
兵庫県篠山市内の農家の軒下に造られたスズメバチの巣（径約１５ｃｍ）に、まず粘着性の泡状物質をエアゾール形式のものから噴霧してハチの巣孔全体を泡で覆った。泡で覆った直後素早く製剤例１で作製したエアゾール（１）のノズルを巣の側面の中心部あたりに挿入し約３秒噴霧した。その後ノズルを外し、巣の上部に再度ノズルを挿入し約３秒噴霧した。またその後ノズルを巣の下部に挿入し約３秒噴霧した。噴霧終了後ノズルを外し、ハチの飛び出しを観察したが１匹も飛び出してはこなかった。噴霧終了後５分してから巣を撤去した。
【００２０】
【発明の効果】
本発明のハチの巣の中のハチを駆除する装置を用いることにより安全にかつ効率よくハチの巣を撤去することができる。